(57)【特許請求の範囲】
【請求項１】
左側の前垂直フレーム（１１）と右側の前垂直フレーム（１２）の上下端部を前側の上部水平フレーム（２１）と前側の下部水平フレーム（２２）の両端部に連結するとともに左側の後垂直フレーム（１３）と右側の後垂直フレーム（１４）の上下端部を後側の上部水平フレーム（２３）と後側の下部水平フレーム（２４）の両端部に連結し、また、前記左側の前垂直フレーム（１１）と左側の後垂直フレーム（１３）の上下端部を上部水平奥行フレーム（３１）と下部水平奥行フレーム（３２）の両端部を連結するとともに右側の前垂直フレーム（１２）と右側の後垂直フレーム（１４）の上下端部を上部水平奥行フレーム（３１）と下部水平奥行フレーム（３２）の両端部を連結して形成した直方体状のフレーム枠本体（１）の左右の内側に前記上部水平奥行フレーム（３１）と下部水平奥行フレーム（３２）に上下端部を連結させた内部垂直フレーム（４０）を配置するとともに該内部垂直フレーム（４０）を前垂直フレーム（１１）、（１２）と後垂直フレーム（１３）、（１４）との間に取り付けた奥行補強フレーム（５０）に連結し、また、前記内部垂直フレーム（４０）を前垂直フレーム（１１）、（１２）と後垂直フレーム（１３）、（１４）の中間に２本配設して、該２本の内部垂直フレーム（４０）と前垂直フレーム（１１）、（１２）と後垂直フレーム（１３）、（１４）とを各々１本の幅広の上部水平奥行フレーム（３１）と下部水平奥行フレーム（３２）及び奥行補強フレーム（５０）により連結して平面台形状配置のフレーム構造体を左右側部に形成したことを特徴とするキャビネット。
【発明の詳細な説明】
【０００１】
【発明の属する技術分野】
本発明は、フレームを設けたキャビネットに関するものである。
【０００２】
【従来の技術】
従来、フレームを直方体に組んキャビネットは、電気装置類、小物類を収納、取付をしていた。
このキャビネットは、直方体のフレーム枠の前後部により物を装着、出し入れすることが多いため、前後面部は何も取り付けないか、扉を取り付けた構造としており、そのため、この前後面部には補強用のフレームを取り付けできないものであった。
【０００３】
【発明が解決しようとする課題】
ところが、前記した従来の汎用のキャビネットは、前後面部には補強用のフレームを取り付けていないため、地震の際には図９に示すように４隅に立設した垂直フレームと前後の水平フレームの結合個所（○印個所）に直接力が加わり、図１０に示すように左右方向に傾くものであり、これを防止するためには図９に一点鎖線でしますように後面部に筋交いを入れる必要があった。この筋交いはキャビネットのサイズが異なるごとに夫々専用の長さのものを用意しなければならず、また、組み立ての作業性も悪く、さらには、後面部からの物の出し入れの支障となるものであった。
【０００４】
【課題を解決するための手段】
前記のような問題を解決するためになされた本発明のキャビネットは、左側の前垂直フレームと右側の前垂直フレームの上下端部を前側の上部水平フレームと前側の下部水平フレームの両端部に連結するとともに左側の後垂直フレームと右側の後垂直フレームの上下端部を後側の上部水平フレームと後側の下部水平フレームの両端部に連結し、また、前記左側の前垂直フレームと左側の後垂直フレームの上下端部を上部水平奥行フレームと下部水平奥行フレームの両端部を連結するとともに右側の前垂直フレームと右側の後垂直フレームの上下端部を上部水平奥行フレームと下部水平奥行フレームの両端部を連結して形成した直方体状のフレーム枠本体の左右の内側に前記上部水平奥行フレームと下部水平奥行フレームに上下端部を連結させた内部垂直フレームを配置するとともに鼓内部垂直フレームを前垂直フレームと後垂直フレームとの間に取り付けた奥行補強フレームに連結し、また、前記内部垂直フレームを前垂直フレームと後垂直フレームの中間に２本配設して、該２本の内部垂直フレームと前垂直フレームと後垂直フレームとを各々１本の幅広の上部水平奥行フレームと下部水平奥行フレーム及び奥行補強フレームにより連結して平面台形状配置のフレーム構造体を左右側部に形成したことを特徴とするものである。
【０００５】
【発明の実施の形態】
次に、本発明の好ましい実施形態を示す。
直方体状のフレーム枠本体であり、該フレーム枠本体１は、左側の前垂直フレーム１１と右側の前垂直フレーム１２の上下端部を前側の上部水平フレーム２１と前側の下部水平フレーム２２の両端部に連結するとともに左側の後垂直フレーム１３と右側の後垂直フレーム１４の上下端部を後側の上部水平フレーム２３と後側の下部水平フレーム２４の両端部に連結し、また、前記左側の前垂直フレーム１１と左側の後垂直フレーム１３の上下端部を上部水平奥行フレーム３１と下部水平奥行フレーム３２の両端部を連結するとともに右側の前垂直フレーム１２と右側の後垂直フレーム１４の上下端部を上部水平奥行フレーム３１と下部水平奥行フレーム３２の両端部を連結して形成したものである。
【０００６】
４０は前記フレーム枠本体１の左右の内側に配置すなわち、前垂直フレーム１１、１２と後垂直フレーム１３、１４の中間に前記上部水平奥行フレーム３１と下部水平興行フレーム３２に上下端部を連結させて配置した内部垂直フレームである。また、この内部垂直フレーム４０は前記前垂直フレーム１１、１２と後垂直フレーム１３、１４との間に取り付けた奥行補強フレーム５０に連結されている．なお、図示のものは内部垂直フレーム４０を奥行補強フレーム５０に取付腕金具５１を介在させ連結しているが奥行補強フレーム５０に当接するように配置したものにあっては直接連結してもよい。
【０００７】
また、図示のものは内部垂直フレーム４０を前垂直フレーム１１、１２と後垂直フレーム１３、１４の中間に２本配設して、該２本の内部垂直フレーム４０と前垂直フレーム１１、１２と後垂直フレーム１３、１４とを各々１本の幅広の上部水平奥行フレーム３１と下部水平奥行フレーム３２及び奥行補強フレーム５０により連結して平面台形状配置のフレーム構造体を左右側部に形成している。
【０００８】
また、６０は前記内部垂直フレーム４０の下端部を下部水平奥行フレーム３２に連結するための取付台であり、該取付台６０は四角筒状の台本体６１の下端面を広幅に形成した下部水平奥行フレーム３２の上面に当接したうえ台本体６１の前面に形成したナット６２ａ付きの折曲片６２を下部水平奥行フレーム３２の内側緑に折曲形成した内立上片３２ａにボルトにより取り付けるとともに台本体６１の後面外側に折曲形成したナット部付きの鍔板片６３、６３を下部水平奥行フレーム３２の外側縁に折曲形成した外立上片３２ｂにボルトにより取り付け、この台本体６１の上面に溶接等の手段で立設したナット部６４ａ付きの取付片６４に内部垂直フレーム４０の下端部をボルトにより取り付けるとともに、内部垂直フレーム４０の端部を台本体６１の上面に当接させて該内部垂直フレーム４０の下端部を下部水平奥行フレーム３２に連結している。
【０００９】
なお、取付台を介在させることにより内部垂直フレーム４０の高さをキャビネットの高さより短いものを使用できフレーム枠本体１を組み立て後に容易に取り付けできるが、これに限定されることなく内部垂直フレーム４０の下端部を直接下部水平奥行フレーム３２に連結してもよく、要は確実に連結できれば連結手段は問わないものである。また、内部垂直フレーム４０の上端部を上部水平奥行フレーム３１に連結する具体的手段は内部垂直フレーム４０の下端部を下部水平奥行フレーム３２に連結する手段と同様である。また、各々１本の上部水平奥行フレーム３１と下部水平奥行フレーム３２を幅広板状と構成として内部垂直フレーム４０を連結しているが、上部水平奥行フレーム３１と下部水平奥行フレーム３２をフレーム枠本体１を構成する外郭フレーム部と内部垂直フレーム４０を連結する内部水平フレーム部に分割してもよい。
【００１０】
このように構成されたキャビネットは、直方体状のフレーム枠本体１の左右内側に前記上部水平奥行フレーム３１と下部水平奥行フレーム３２に上下端部を連結させた内部垂直フレーム４０を配置するとともに亥内部垂直フレーム４０を前垂直フレーム１１、１２と後垂直フレーム１３、１４との間に取り付けた奥行補強フレーム５０に連結したものであるから、フレーム枠本体１の左右はニ重フレーム構造となり、図8に斜線で示す一体の柱、板材に作用して、地震等で左右に揺れた場合に力が加わる個所がこの左右のニ重フレーム構造の幅広の上部底部（図８に楕円で示す）となるので、左右の揺れに耐えて傾くことのないものである。従って、フレーム枠本体１の前後面に筋交いをいれる必要がないので、この前後面を開放状態として物を出し入れできるものである。また、奥行方向の揺れに対しても左右のニ重フレーム構造が一体の柱、板材に作用するので耐震性がよい。従って，図１に示すように側板２を取り付けるものは勿論、側板を不用とするものにあっても左右面に筋交いも不要とすることができるものである。
【００１１】
さらに、内部垂直フレーム４０を前垂直フレーム１１、１２と後垂直フレーム１３、１４の中間に２本配設して、該２本の内部垂直フレーム４０と前垂直フレーム１１、１２と後垂直フレーム１３、１４とを各々１本の幅広の上部水平奥行フレーム３１と下部水平奥行フレーム３２及び奥行補強フレーム５０により連結して平面台形状配置のフレーム構造体を左右側部に形成したものにあっては、この平面台形状配置のフレーム構造体は左右方向は勿論前後方向及び斜め方向のカに対しても変形しない構造であるから、前記のように左右の揺れに耐えて傾くことのないことは勿論のこと、前後及び斜めに歪むことがないものである。
【００１２】
【発明の効果】
以上に説明したように、本発明のキャビネットは、フレーム枠本体の左右を二重フレーム構造としたので、フレーム枠本体１の前後面に筋交いを入れなくとも、地震等での左右に揺れに耐えて傾くことのないものである。従って、この前後面を開放状態として物を出し入れできるものである。さらに，二重フレーム構造を平面台形状配置のフレーム構造体に形成したものにあっては、前記のように左右の揺れに耐えて傾くことのないことは勿論のこと、前後及び斜めに歪むことがないものである。
よって、本発明は従来のフレームを設けたキャビネットの問題点を解決したものとして、業界にもたらす益大なものである。
【図面の簡単な説明】
【図１】本発明の実施形態を示す斜視図である。
【図２】本発明の実施形態を示す側面図である。
【図３】本発明の実施形態を示す横断面図である。
【図４】本発明の実施形態を示す要部の拡大横断面図である。
【図５】本発明の実施形態の内部垂直フレームの下端部の取り付け状態示す側面図である。
【図６】本発明の実施形態の内部垂直フレームの下端部の取り付け状態示す正面図である。
【図７】本発明の実施形態の内部垂直フレームの下端部の取り付け状態示す斜視図である。
【図８】本発明の実施形態の槻略説明図である。
【図９】従来例を示す槻略説明図である。
【図１０】同じく従来例を示す槻略説明図である。
【符号の説明】
１  直方体状のフレーム枠本体、１１  左側の前垂直フレーム、１２  右側の前垂直フレーム、１３  左側の後垂直フレーム、１４  右側の後垂直フレーム、２１  前側の上部水平フレーム、２２  前側の下部部水平フレーム、２３  後側の上部水平フレーム、２４  後側の下部部水平フレーム、３１  上部水平奥行フレーム、３２  下部水平奥行フレーム、４０  内部垂直フレーム、５０  奥行補強フレーム
【図１】
0003699668.tif 000002
【図２】
0003699668.tif 000003
【図３】
0003699668.tif 000004
【図４】
0003699668.tif 000005
【図５】
0003699668.tif 000006
【図６】
0003699668.tif 000007
【図７】
0003699668.tif 000008
【図８】
0003699668.tif 000009
【図９】
0003699668.tif 000010
【図１０】
0003699668.tif 000011